(57)【要約】【課題】作業員の手が誤って操作ツマミに触れることを抑制する照明器具を提供する。【解決手段】照明器具１は、ダクトレールに装着自在である。照明器具１は、光源２と、本体３と、カバー部材１０とを備える。本体３は、光源２を支持する。カバー部材１０は、本体３に着脱自在である。本体３は、プラグ部７と、操作部６とを有する。プラグ部７は、ダクトレールに装着自在であって、第１の姿勢と第１の姿勢とは異なる第２の姿勢との間で姿勢の切り替えが自在である。操作部６は、プラグ部７の姿勢を第１の姿勢と第２の姿勢との間で切り替える。カバー部材１０は、本体に取り付けられると操作部６を覆う。【選択図】図１０
2018181753.tif 000002
【特許請求の範囲】
【請求項１】
ダクトレールに装着自在な照明器具であって、
光源と、
前記光源を支持する本体と、
前記本体に着脱自在なカバー部材と
を備え、
前記本体は、
前記ダクトレールに装着自在であって、第１の姿勢と前記第１の姿勢とは異なる第２の姿勢との間で姿勢の切り替えが自在なプラグ部と、
前記プラグ部の姿勢を前記第１の姿勢と前記第２の姿勢との間で切り替える操作部と
を有し、
前記カバー部材は、前記本体に取り付けられると前記操作部を覆う、照明器具。
【請求項２】
前記本体は、
前記光源を支持する筐体と、
前記カバー部材を係止する係止部と
を有し、
前記筐体は、
前記光源を支持する支持面と、
前記支持面と直交し、前記光源とは反対側に延びる壁部と
を有し、
前記係止部は、前記壁部に設けられる、請求項１に記載の照明器具。
【請求項３】
前記本体は、前記カバー部材を前記係止部へガイドするガイド部を更に有し、
前記ガイド部は、前記壁部に設けられる、請求項２に記載の照明器具。
【請求項４】
前記カバー部材は、
ベース部と、
前記係止部に係止される被係止部と
を有し、
前記ベース部は、前記本体に取り付けられた状態において前記支持面と一致するベース面を含み、
前記被係止部は、前記ベース面と対向するように前記ベース部に設けられる、請求項２又は請求項３に記載の照明器具。
【請求項５】
前記操作部は、前記プラグ部の姿勢を前記第１の姿勢と前記第２の姿勢との間で切り替える操作ツマミを有し、
前記操作ツマミは、第１の位置と前記第１の位置とは異なる第２の位置との間を移動自在であり、
前記カバー部材は、前記操作ツマミを前記第１の位置と前記第２の位置との間で移動させることが可能な操作空間を有する、請求項１〜請求項４のいずれか１項に記載の照明器具。
【発明の詳細な説明】
【技術分野】
【０００１】
本発明は、照明器具に関する。
【背景技術】
【０００２】
特許文献１には、ダクト取付用照明器具が開示されている。特許文献１に開示のダクト取付用照明器具は、外殻部とプラグ部とを備える。プラグ部は、外殻部の上面に取り付けられて、配線ダクトと機械的に接続する。具体的には、プラグ部は、引掛ツメと、外殻部から突出する操作ツマミとを有する。引掛ツメは、操作ツマミの回動に応じて回動し、配線ダクトと係合する。
【先行技術文献】
【特許文献】
【０００３】
【特許文献１】特開平１１−１１１０４０号公報
【発明の概要】
【発明が解決しようとする課題】
【０００４】
しかしながら、特許文献１に開示の照明器具では、外殻部から操作ツマミが突出している。このため、照明器具が取り付けられている配線ダクトに対し、既に取り付けられた照明器具に近接して別の照明器具を取り付ける際に、既に配線ダクトに取付けられた照明器具の操作ツマミに誤って作業員の手が触れる虞がある。この結果、配線ダクトに取付けられた照明器具が、配線ダクトから外れてしまう虞がある。
【０００５】
本発明は上記課題に鑑み、作業員の手が誤って操作ツマミに触れることを抑制する照明器具を提供することを目的とする。
【課題を解決するための手段】
【０００６】
本願に開示する照明器具は、ダクトレールに装着自在である。当該照明器具は、光源と、本体と、カバー部材とを備える。前記本体は、前記光源を支持する。前記カバー部材は、前記本体に着脱自在である。前記本体は、プラグ部と、操作部とを有する。前記プラグ部は、前記ダクトレールに装着自在であって、第１の姿勢と前記第１の姿勢とは異なる第２の姿勢との間で姿勢の切り替えが自在である。前記操作部は、前記プラグ部の姿勢を前記第１の姿勢と前記第２の姿勢との間で切り替える。前記カバー部材は、前記本体に取り付けられると前記操作部を覆う。
【０００７】
本願に開示する照明器具において、前記本体は、筐体と、係止部とを有してもよい。前記筐体は、前記光源を支持してもよい。前記係止部は、前記カバー部材を係止してもよい。前記筐体は、前記光源を支持する支持面と、前記支持面と直交し、前記光源とは反対側に延びる壁部とを有してもよい。前記係止部は、前記壁部に設けられてもよい。
【０００８】
本願に開示する照明器具において、前記本体は、前記カバー部材を前記係止部へガイドするガイド部を更に有してもよい。前記ガイド部は、前記壁部に設けられる。
【０００９】
本願に開示する照明器具において、前記カバー部材は、ベース部と、前記係止部に係止される被係止部とを有してもよい。前記ベース部は、前記本体に取り付けられた状態において前記支持面と一致するベース面を含んでもよい。前記被係止部は、前記ベース面と対向するように前記ベース部に設けられてもよい。
【００１０】
本願に開示する照明器具において、前記操作部は、前記プラグ部の姿勢を前記第１の姿勢と前記第２の姿勢との間で切り替える操作ツマミを有してもよい。前記操作ツマミは、第１の位置と前記第１の位置とは異なる第２の位置との間を移動自在であってもよい。前記カバー部材は、前記操作ツマミを前記第１の位置と前記第２の位置との間で移動させることが可能な操作空間を有してもよい。
【発明の効果】
【００１１】
本発明によれば、作業員の手が誤って操作ツマミに触れることを抑制することができる。
【図面の簡単な説明】
【００１２】
【図１】本発明の実施形態１に係る照明器具を示す図である。
【図２】本発明の実施形態１に係る照明器具及びダクトレールの構成を示す斜視図である。
【図３】本発明の実施形態１に係るカバー部材が取り外された照明器具を示す斜視図である。
【図４】本発明の実施形態１に係るカバー部材が取り外された照明器具を示す他の斜視図である。
【図５】（ａ）及び（ｂ）は、本発明の実施形態１に係る本体の構成を示す平面図である。
【図６】（ａ）〜（ｃ）は、本発明の実施形態１に係るカバー部材の構成を示す図である。
【図７】本発明の実施形態１に係るカバー部材の本体への取付方法を示す図である。
【図８】本発明の実施形態１に係るカバー部材の本体への取付方法を示す図である。
【図９】本発明の実施形態１に係る照明器具の構成を示す斜視図である。
【図１０】本発明の実施形態１に係る照明器具の構成を示す斜視図である。
【図１１】本発明の実施形態１に係る照明器具の構成を示す平面図である。
【図１２】本発明の実施形態２に係る照明器具の構成を示す平面図である。
【図１３】本発明の実施形態２に係る照明器具の取付状態を示す図である。
【発明を実施するための形態】
【００１３】
以下、図面を参照して本発明に係る照明器具の実施形態について説明する。なお、図中、同一又は相当部分については同一の参照符号を付して説明を繰り返さない。
【００１４】
［実施形態１］
まず、図１を参照して、実施形態１に係る照明器具１について説明する。図１は、実施形態１に係る照明器具１を示す図である。
【００１５】
図１に示すように、照明器具１は、ダクトレール１００に取り付けられて使用される。本実施形態において、ダクトレール１００は、天井面Ｃに固定されている。
【００１６】
次に、図２を参照して、実施形態１に係る照明器具１及びダクトレール１００の構成について説明する。図２は、実施形態１に係る照明器具１及びダクトレール１００の構成を示す斜視図である。
【００１７】
図２に示すように、照明器具１は、灯具２、本体３、及びカバー部材１０を備える。以下では、照明器具１において、灯具２が配置される側を照明器具１の下側とし、その反対側を照明器具１の上側として本実施形態を説明する。また、照明器具１において、カバー部材１０が配置される側を照明器具１の右側とし、その反対側を照明器具１の左側として本実施形態を説明する。更に、照明器具１を左側から見たときの右側を照明器具１の前側とし、その反対側を照明器具１の後ろ側として本実施形態を説明する。
【００１８】
灯具２は、光を出射する。灯具２は、例えば、ＬＥＤ（Ｌｉｇｈｔ  Ｅｍｉｔｔｉｎｇ  Ｄｉｏｄｅ）基板を有する。本実施形態において、灯具２は、スポットライトである。ＬＥＤ基板は、ＬＥＤを含む。ＬＥＤは、光源の一例である。
【００１９】
本体３は、灯具２を支持する。本体３は、ダクトレール１００に装着自在である。カバー部材１０は、本体３に着脱自在である。
【００２０】
ダクトレール１００は、レールベース１０１を有する。レールベース１０１は、直線状に延設される。図２に示す例において、レールベース１０１は、左右方向に沿って延設される。
【００２１】
レールベース１０１は、下壁１０１ａを有する。下壁１０１ａは、ダクトレール１００の下面を構成する。レールベース１０１の下壁１０１ａには、挿通溝１０１ｂが形成される。挿通溝１０１ｂは、レールベース１０１が延びる方向に延在する。挿通溝１０１ｂは、レールベース１０１の内部と連通するスリットである。
【００２２】
レールベース１０１は、２つの導体部１０２、及び２つのプラグ支持部１０３を内部に有する。２つの導体部１０２、及び２つのプラグ支持部１０３は、レールベース１０１が延びる方向に延在する。
【００２３】
２つの導体部１０２は、挿通溝１０１ｂを挟んで対向する。各導体部１０２には、外部電源電圧が印加される。
【００２４】
２つのプラグ支持部１０３は、２つの導体部１０２の下方に設けられる。２つのプラグ支持部１０３は、挿通溝１０１ｂを挟んで対向する。
【００２５】
続いて、図３及び図４を参照して、実施形態１に係る本体３の構成について説明する。図３は、実施形態１に係るカバー部材１０が取り外された照明器具１を示す斜視図である。詳しくは、図３は、右後方の下方から灯具２及び本体３を見た図を示す。
【００２６】
図３に示すように、本体３は、階段形状の筐体３０を有する。筐体３０は、後壁３１（壁部の一例）、及び階段形状の下壁３２を有する。後壁３１と下壁３２とは直交する。また、筐体３０は、図２を参照して説明した灯具２を支持する支持面３２ｓを有する。支持面３２ｓは、下壁３２の下面によって構成される。したがって、後壁３１は、支持面３２ｓと直交する。なお、後壁３１の上端３１ｔは、筐体３０の上端３０ｔの一部を構成する。また、支持面３２ｓは、本体３の下面を構成する。
【００２７】
本体３は、ガイド部４、及び係止部５を有する。本実施形態において、ガイド部４及び係止部５は、筐体３０に形成されている。
【００２８】
ガイド部４は、図２を参照して説明したカバー部材１０の本体３への取り付けをガイドする。詳しくは、ガイド部４は、カバー部材１０を係止部５までガイドする。
【００２９】
ガイド部４は、第１ガイド溝４１を有する。第１ガイド溝４１は、筐体３０の後壁３１に形成される。詳しくは、筐体３０の後壁３１は、凹部を有する。第１ガイド溝４１は、筐体３０の後壁３１の凹部によって構成される。また、後壁３１の上端３１ｔは、後壁３１の上端３１ｔの他の部分よりも一段下がっている段差部３１ｄを有する。第１ガイド溝４１は、筐体３０の後壁３１の下端３１ｕから段差部３１ｄまで連続して設けられる。第１ガイド溝４１は、底部４１ａを有する。
【００３０】
係止部５は、図２を参照して説明したカバー部材１０を係止する。係止部５は、第１係止部５１を有する。第１係止部５１は、後壁３１の段差部３１ｄによって構成される。後壁３１の凹部は、段差部３１ｄと接続する。したがって、第１係止部５１は、第１ガイド溝４１の底部４１ａと接続する。換言すると、第１係止部５１は、第１ガイド溝４１の上端に接続する。
【００３１】
図４は、実施形態１に係るカバー部材１０が取り外された照明器具１を示す他の斜視図である。詳しくは、図４は、右前方の上方から灯具２及び本体３を見た図を示す。筐体３０は、前壁３３（壁部の一例）を更に有する。前壁３３は、図３を参照して説明した支持面３２ｓと直交する。なお、前壁３３の上端３３ｔは、筐体３０の上端３０ｔの一部を構成する。
【００３２】
本体３は、ガイド部４、及び係止部５に加え、操作部６、プラグ部７、電源部８、及びケーブル収容部９を有する。電源部８は、筐体３０の内部に配置される。ケーブル収容部９は、筐体３０の外部に配置される。詳しくは、ケーブル収容部９は、電源部８よりも一段下がった部分に配置される。ケーブル収容部９は、前壁３３の上端３３ｔよりも上方に突出する。
【００３３】
ガイド部４は、第２ガイド溝４２を更に有する。第２ガイド溝４２は、筐体３０の前壁３３に形成される。詳しくは、筐体３０の前壁３３は、凹部を有する。第２ガイド溝４２は、筐体３０の前壁３３の凹部によって構成される。また、前壁３３の上端３３ｔは、前壁３３の上端３３ｔの他の部分よりも一段下がっている段差部３３ｄを有する。第２ガイド溝４２は、前壁３３の下端３３ｕから段差部３３ｄまで連続して設けられる。第２ガイド溝４２は、底部４２ａを有する。
【００３４】
係止部５は、第２係止部５２を更に有する。第２係止部５２は、前壁３３の段差部３３ｄによって構成される。前壁３３の凹部は、段差部３３ｄと接続する。したがって、第２係止部５２は、第２ガイド溝４２の底部４２ａと接続する。換言すると、第２係止部５２は、第２ガイド溝４２の上端に接続する。
【００３５】
操作部６は、操作ベース６１と、軸部６２と、操作レバー６３とを有する。
【００３６】
軸部６２は、軸心Ｘを中心として回転自在に操作ベース６１によって支持される。軸部６２は、操作ベース６１側を基端として、操作ベース６１から上方に向けて突出する。
【００３７】
操作レバー６３は、軸心Ｘを中心として回転自在に操作ベース６１によって支持される。詳しくは、操作レバー６３は、操作ツマミ６３１及びシャフト６３２を有する。操作ツマミ６３１は、シャフト６３２の先端側と接続する。シャフト６３２は、操作ベース６１が有する右端面６１ａに形成された溝６１ｂに挿通される。シャフト６３２の基端は、操作ベース６１の内側において軸部６２に固定されている。したがって、操作レバー６３は、溝６１ｂに沿って移動し、軸心Ｘを中心として回転することができる。
【００３８】
プラグ部７の姿勢は、操作部６を操作することによって変化する。詳しくは、プラグ部７は、操作レバー６３を回転させることにより、軸心Ｘを中心として回転する。
【００３９】
プラグ部７は、支柱部７１と、プラグ端子７２と、レール係合部７３とを有する。
【００４０】
支柱部７１は、軸部６２と接続し、軸部６２側を基端として上方に向けて延びる。支柱部７１は、軸部６２に固定される。したがって、支柱部７１は、軸部６２の回転に応じて軸心Ｘを中心として回転する。
【００４１】
プラグ端子７２は、支柱部７１の周面から突出する。プラグ端子７２は、支柱部７１の回転に応じて、軸心Ｘを中心として回転する。プラグ端子７２は、軸心Ｘを中心として回転することによって、図２を参照して説明した導体部１０２と接続する姿勢となる。また、プラグ端子７２が導体部１０２と接続する姿勢から軸心Ｘを中心として回転すると、プラグ端子７２と導体部１０２との接続が解除される。プラグ端子７２が導体部１０２と接続すると、導体部１０２からの外部電源電圧が電源部８へ供給される。詳しくは、本体３は、電源部８とプラグ端子７２とを電気的に接続するケーブルを有する。軸部６２及び支柱部７１は、内部空間を有する。プラグ端子７２は、支柱部７１の内部空間から支柱部７１の外方に向けて突出する。ケーブルは、支柱部７１の内部空間において、プラグ端子７２と接続し、支柱部７１及び軸部６２の内部空間を通って電源部８と接続する。
【００４２】
レール係合部７３は、支柱部７１の周面に設けられる。レール係合部７３は、プラグ端子７２よりも下方に配置される。レール係合部７３は、支柱部７１の回転に応じて、軸心Ｘを中心として回転する。レール係合部７３は、軸心Ｘを中心として回転することによって、図２を参照して説明したプラグ支持部１０３に係合する姿勢となる。レール係合部７３がプラグ支持部１０３に係合すると、本体３がダクトレール１００に固定（装着）される。具体的には、レール係合部７３は、プラグ支持部１０３とレールベース１０１の下壁１０１ａとによって挟持される。また、レール係合部７３がプラグ支持部１０３と係合される姿勢から軸心Ｘを中心として回転すると、レール係合部７３とプラグ支持部１０３との係合が解除される。プラグ端子７２と導体部１０２との接続が解除され、且つ、レール係合部７３とプラグ支持部１０３との係合が解除されると、本体３をダクトレール１００から取り外すことができる。
【００４３】
電源部８には、プラグ端子７２を介してダクトレール１００から外部電源電圧が供給される。電源部８は、外部電源電圧を内部電源電圧に変換して灯具２に供給する。
【００４４】
ケーブル収容部９は、プラグ部７と電源部８とを接続するケーブル、及び灯具２と電源部８とを接続するケーブルなどを内部に収容する。ケーブル収容部９は、左右方向に長い略直方体の形状を有する。ケーブル収容部９は、図２を参照して説明したレールベース１０１に形成された挿通溝１０１ｂに挿通可能な大きさである。詳しくは、ケーブル収容部９の前後方向（短手方向）の長さは、挿通溝１０１ｂの前後方向（短手方向）の長さよりも短い。なお、ケーブル収容部９の左右方向（長手方向）の長さは、挿通溝１０１ｂの前後方向（短手方向）の長さよりも長い。
【００４５】
また、ケーブル収容部９は、ダクトレール１００に対する本体３の前後方向の位置を決定する。詳しくは、ケーブル収容部９は、ダクトレール１００に本体３を取り付ける際、その長手方向が、挿通溝１０１ｂが延びる方向と一致するように、挿通溝１０１ｂに挿通される。これにより、ダクトレール１００に対する本体３の前後方向の位置が決定される。
【００４６】
次に、図５（ａ）及び図５（ｂ）を参照して、実施形態１に係る操作部６及びプラグ部７について更に説明する。図５（ａ）及び図５（ｂ）は、実施形態１に係る本体３の構成を示す平面図である。
【００４７】
図５（ａ）及び図５（ｂ）に示すように、操作部６の操作ベース６１の右端面６１ａを上方から見たときの形状は、略円弧形状である。
【００４８】
操作ツマミ６３１を上方から見たときの形状は、略三角形であり、操作ツマミ６３１は、頂点６３ｔを有する。操作ツマミ６３１が軸心Ｘを中心として回転すると、頂点６３ｔは、軌跡Ｔに沿って移動する。以下では、軌跡Ｔを「頂点６３ｔの移動軌跡Ｔ」と記載し、操作ツマミ６３１の頂点６３ｔの位置を「操作レバー６３の位置」と記載する。なお、頂点６３ｔの移動軌跡Ｔは、操作部６の操作ベース６１の右端面６１ａを上方から見たときの形状と略同心円である。
【００４９】
プラグ端子７２は、第１プラグ端子７２１及び第２プラグ端子７２２を有する。第１プラグ端子７２１及び第２プラグ端子７２２は、互いに対向する。第１プラグ端子７２１及び第２プラグ端子７２２は、支柱部７１の周面から支柱部７１の径方向の外方へ向けてそれぞれ突出する。
【００５０】
レール係合部７３は、上方から見たときの形状は、略長方形である。レール係合部７３は、図２を参照して説明したレールベース１０１に形成された挿通溝１０１ｂに挿通可能な大きさである。詳しくは、レール係合部７３の短手方向の長さは、挿通溝１０１ｂの前後方向（短手方向）の長さよりも短い。なお、レール係合部７３の長手方向の長さは、挿通溝１０１ｂの前後方向（短手方向）の長さよりも長い。
【００５１】
レール係合部７３は、第１レール係合部７３１及び第２レール係合部７３２を有する。第１レール係合部７３１及び第２レール係合部７３２は、互いに対向する。第１レール係合部７３１及び第２レール係合部７３２は、支柱部７１の周面に配置され、支柱部７１の径方向の外方へ向けてそれぞれ突出する。
【００５２】
図５（ａ）に示すように、操作レバー６３の位置が第１の位置Ｐ１である場合、プラグ端子７２及びレール係合部７３は、略左右方向に延在する。詳しくは、第１プラグ端子７２１及び第１レール係合部７３１は、支柱部７１の左側に位置し、第２プラグ端子７２２及び第２レール係合部７３２は、支柱部７１の右側に位置する。以下、図５（ａ）に示すプラグ部７の姿勢を「第１の姿勢」と記載する。
【００５３】
図５（ａ）及び図５（ｂ）に示すように、操作レバー６３を第１の位置Ｐ１から第２の位置Ｐ２まで移動させると、プラグ部７は、軸心Ｘを中心に回転する。詳しくは、プラグ端子７２及びレール係合部７３は、軸心Ｘを中心に略９０°回転し、略前後方向に延在する。詳しくは、第１プラグ端子７２１及び第１レール係合部７３１は、支柱部７１の前側に位置し、第２プラグ端子７２２及び第２レール係合部７３２は、支柱部７１の後ろ側に位置する。以下、図５（ｂ）に示すプラグ部７の姿勢を「第２の姿勢」と記載する。
【００５４】
図２を参照して説明したレールベース１０１の挿通溝１０１ｂに挿通された状態で、プラグ部７が第２の姿勢になると、プラグ端子７２は、図２を参照して説明した導体部１０２と接続し、レール係合部７３は、図２を参照して説明したプラグ支持部１０３と係合する。レール係合部７３がプラグ支持部１０３に係合すると、レール係合部７３がプラグ支持部１０３に固定されて、本体３がダクトレール１００に装着される。
【００５５】
図５（ａ）に示すように、プラグ部７が第１の姿勢である場合、ケーブル収容部９の長手方向（左右方向）と、プラグ部７が延在する方向（レール係合部７３の長手方向）とは一致する。したがって、プラグ部７及びケーブル収容部９をレールベース１０１の挿通溝１０１ｂに挿通させることができる。一方、図５（ｂ）に示すように、プラグ部７が第２の姿勢である場合、ケーブル収容部９の長手方向（左右方向）と、プラグ部７が延在する方向（レール係合部７３の長手方向）とが一致しない。したがって、プラグ部７及びケーブル収容部９をレールベース１０１の挿通溝１０１ｂに挿通させることができない。
【００５６】
本体３をダクトレール１００に装着させる場合、作業員は、まず、操作レバー６３を操作することによってプラグ部７の姿勢を第１の姿勢にする。本実施形態では、操作レバー６３の位置を第１の位置Ｐ１にする。次いで、図２を参照して説明したレールベース１０１の挿通溝１０１ｂにプラグ部７及びケーブル収容部９を挿通させた後、操作レバー６３の位置を第１の位置Ｐ１から第２の位置Ｐ２へ移動させる。この結果、プラグ部７の姿勢が第１の姿勢から第２の姿勢へ遷移して、本体３がダクトレール１００に装着される（固定される）。
【００５７】
一方、本体３をダクトレール１００から取り外す場合、作業員は、操作レバー６３を操作することによって、プラグ部７の姿勢を第２の姿勢から第１の姿勢にする。本実施形態では、操作レバー６３の位置を第２の位置Ｐ２から第１の位置Ｐ１にする。これにより、プラグ部７の姿勢がレールベース１０１の挿通溝１０１ｂを挿通可能な姿勢となる。次いで、作業員は、本体３を下方へ移動させることにより、本体３をダクトレール１００から取り外す。
【００５８】
次に、図６〜図１１を参照して、実施形態１に係るカバー部材１０の本体３への取付方法について説明する。まず、図６（ａ）〜図６（ｃ）を参照して、実施形態１に係るカバー部材１０の構成について説明する。図６（ａ）〜図６（ｃ）は、実施形態１に係るカバー部材１０の構成を示す図である。詳しくは、図６（ａ）は、実施形態１に係るカバー部材１０を右前方の上方から見た図であり、図６（ｂ）は、図６（ａ）に示すカバー部材１０を右後方の下方から見た図を示し、図６（ｃ）は、図６（ａ）に示すカバー部材１０を左側から見た図を示す。
【００５９】
図６（ａ）〜図６（ｃ）に示すように、カバー部材１０は、カバーベース１１（ベース部の一例）を有する。カバーベース１１は、階段形状を有する。カバーベース１１を右方向から見たときの形状は、図３を参照して説明した筐体３０を右方向から見たときの形状と略一致する。
【００６０】
カバーベース１１は、主壁１１１、第１側壁１１２、第２側壁１１３、及び階段形状の下壁１１４を有する。第１側壁１１２は、主壁１１１の後端に接続し、第２側壁１１３は、主壁１１１の前端に接続する。下壁１１４は、主壁１１１の下端と接続する。第１側壁１１２、第２側壁１１３、及び下壁１１４は、主壁１１１側を基端として主壁１１１と直交する方向に延びる。第１側壁１１２と第２側壁１１３とは、前後方向において互いに対向する。下壁１１４の下面は、カバー部材１０の階段形状の下面（ベース面の一例）を構成する。
【００６１】
カバー部材１０は、係合部１２及び突起部１３を更に有する。
【００６２】
係合部１２は、図３及び図４を参照して説明したガイド部４と係合する。係合部１２は、第１係合部１２１及び第２係合部１２２を有する。第１係合部１２１及び第２係合部１２２は、前後方向において互いに対向する。
【００６３】
第１係合部１２１は、カバーベース１１の第１側壁１１２の先端部に設けられる。第１係合部１２１は、第１側壁１１２よりも第２側壁１１３側に向けて突出する。本実施形態において、第１係合部１２１は、第１側壁１１２の下端から突起部１３まで連続して上下方向に形成される。
【００６４】
第２係合部１２２は、カバーベース１１の第２側壁１１３の先端部に設けられる。第２係合部１２２は、第２側壁１１３よりも第１側壁１１２側に向けて突出する。本実施形態において、第２係合部１２２は、第２側壁１１３の下端から突起部１３まで連続して上下方向に形成される。
【００６５】
突起部１３（被係止部の一例）は、図３を参照して説明した係止部５に係止される。突起部１３は、第１突起部１３１及び第２突起部１３２を有する。
【００６６】
第１突起部１３１は、第１係合部１２１の上端部と接続する。第１突起部１３１は、第１係合部１２１よりも第２側壁１１３側に向けて突出する。図６（ｃ）に示すように、第１突起部１３１は、第１当接面１３１ａ及び先端１３１ｂを有する。第１当接面１３１ａは、下壁１１４と対向する。第１当接面１３１ａは、第１側壁１１２から離れるにつれて、下壁１１４から遠ざかるように傾斜している。
【００６７】
第２突起部１３２は、第２係合部１２２の上端部と接続する。第２突起部１３２は、第２係合部１２２よりも第１側壁１１２側に向けて突出する。第２突起部１３２は、第２当接面１３２ａ及び先端１３２ｂを有する。第２当接面１３２ａは、下壁１１４と対向する。第２当接面１３２ａは、第２側壁１１３から離れるにつれて、下壁１１４から遠ざかるように傾斜している。
【００６８】
次に、図７〜図１１を参照して、実施形態１に係るカバー部材１０の本体３への取付方法について説明する。図７及び図８は、実施形態１に係るカバー部材１０の本体３への取付方法を示す図である。図９及び図１０は、実施形態１に係る照明器具１の構成を示す斜視図である。図１１は、実施形態１に係る照明器具１の構成を示す平面図である。なお、図７及び図９は、右後方の下方から見た照明器具１を示す。図８及び図１０は、右前方の上方から見た照明器具１を示す。
【００６９】
図７及び図８に示すように、カバー部材１０を本体３に取り付ける場合、作業者は、カバー部材１０を第１移動方向Ｄ１（照明器具１の下方から上方に向かう方向）へ移動させる。詳しくは、作業者は、カバー部材１０の突起部１３をガイド部４に係合させて、カバー部材１０を第１移動方向Ｄ１へ移動させる。
【００７０】
この結果、図９に示すように、カバー部材１０が本体３に取り付けられる。カバー部材１０が本体３に取り付けられると、本体３の下面と、カバー部材１０の下面（ベース面）との上下方向の位置が一致する。
【００７１】
詳しくは、筐体３０の下壁３２は、前方部３２１、段差部３２２、及び後方部３２３を有する。カバーベース１１の下壁１１４は、前方部１１５、段差部１１６、及び後方部１１７を有する。カバー部材１０が本体３に取り付けられると、筐体３０の前方部３２１によって構成される本体３の下面と、カバーベース１１の前方部１１５によって構成されるカバー部材１０の下面との上下方向の位置が一致する。また、筐体３０の段差部３２２によって構成される本体３の下面と、カバーベース１１の段差部１１６によって構成されるカバー部材１０の下面との前後方向の位置が一致する。更に、筐体３０の後方部３２３によって構成される本体３の下面と、カバーベース１１の後方部１１７によって構成されるカバー部材１０の下面との上下方向の位置が一致する。したがって、照明器具１（特に本体３側）に凹凸が少なくなり、照明器具１の美観を向上させることができる。
【００７２】
照明器具１は、ダクトレール１００に取り付けられると、筐体３０の後方部３２３によって構成される本体３の下面と、カバーベース１１の後方部１１７によって構成されるカバー部材１０の下面との上下方向の位置が、図２を参照して説明したダクトレール１００の下面（レールベース１０１の下壁１０１ａによって構成される下面）の上下方向の位置と略一致する。したがって、照明器具１とダクトレール１００との凹凸が少なくなり、照明器具１を取り付けた際の美観が向上する。
【００７３】
一般的に、照明器具の美観は、灯具と本体とのサイズのバランスに依存する。具体的には、灯具が本体に対して目立つことが好ましい。灯具は、光源としてＬＥＤを採用することにより小型化しやすい。これに対して、本体は、電源回路に多数の電子部品やケーブルが実装されるため小型化しにくい。灯具のサイズに対して本体のサイズが大きくなると、灯具よりも本体が目立ち、照明器具の美観が低下する。一方、本実施形態のように、本体３（筐体３０）を階段形状とすることで、ダクトレール１００に装着された本体３が目立ちにくくなり、灯具２を相対的に目立たせることができる。この結果、灯具に対して本体が大きい場合であっても、照明器具の美観の低下が抑制される。更に、ダクトレールが平面天井に直接装着されている場合、本体に加え、ダクトレールも目立ちにくくなる。この結果、灯具が更に目立つこととなり、照明器具の美観が向上する。
【００７４】
なお、図３及び図４を参照して説明した第１ガイド溝４１の底部４１ａと第２ガイド溝４２の底部４２ａとの間の離間距離は、図６（ａ）〜図６（ｃ）を参照して説明したカバー部材１０の第１係合部１２１と第２係合部１２２との間の離間距離（カバー部材１０の前後方向の長さ）と略一致する。換言すると、第１ガイド溝４１の底部４１ａと第２ガイド溝４２の底部４２ａとの間の離間距離は、第１突起部１３１の先端１３１ｂと第２突起部１３２の先端１３２ｂとの間の離間距離よりも長い。したがって、突起部１３がガイド部４に係合している間、カバー部材１０は、前後方向（第１突起部１３１と第２突起部１３２とが互いに離れる方向）に押し広げられている。
【００７５】
図１０に示すように、突起部１３がガイド部４の上端を越えて、後壁３１の段差部３１ｄ、及び前壁３３の段差部３３ｄ（ガイド部４の上端）に到達すると、突起部１３が係止部５に係止される。詳しくは、カバー部材１０は、突起部１３が後壁３１の段差部３１ｄ、及び前壁３３の段差部３３ｄに到達すると、押し広げられた状態から、押し広げられる前の状態に戻ろうとして、第１突起部１３１の第１当接面１３１ａが第１ガイド溝４１の上端に載り、第２突起部１３２の第２当接面１３２ａが第２ガイド溝４２の上端に載る。この結果、図１０及び図１１に示すように、第１突起部１３１の第１当接面１３１ａが第１係止部５１に係止され、第２突起部１３２の第２当接面１３２ａが第２係止部５２に係止される。これにより、カバー部材１０が本体３に取り付けられる。なお、突起部１３が係止部５に係止されている状態において、突起部１３の上端と筐体３０の上端３０ｔとの上下方向の位置は、略一致している。
【００７６】
一方、カバー部材１０を本体３から取り外す場合、作業員は、カバー部材１０に対して、第１突起部１３１と第２突起部１３２との間の離間距離を広げるための力を加える。この結果、突起部１３と係止部５との係止状態が解除され、作業者は、カバー部材１０を第２移動方向Ｄ２（照明器具１の上方から下方へ向かう方向）へ移動させることができる。この結果、カバー部材１０は、本体３から取り外れる。
【００７７】
また、図１０及び図１１に示すように、カバー部材１０が本体３に取り付けられると、操作ツマミ６３１（操作部６）は、カバー部材１０によって覆われる。これにより、作業員の手が誤って操作ツマミ６３１に触れることを抑制することができる。例えば、照明器具１が既に取り付けられたダクトレール１００に、別の照明器具１を更に取り付ける作業中に、作業員が、既に取り付けられた照明器具１の操作ツマミ６３１に誤って触れてしまうことを抑制することができる。この結果、照明器具１のダクトレール１００からの脱落を抑制することができる。
【００７８】
また、図１１に示すように、本実施形態において、カバーベース１１の主壁１１１は、第１の位置Ｐ１から第２の位置Ｐ２への操作ツマミ６３１の移動及び第２の位置Ｐ２から第１の位置Ｐ１への操作ツマミ６３１の移動を妨げるように配置される。詳しくは、操作ツマミ６３１は、第１の位置Ｐ１から第２の位置Ｐ２へ移動する前に主壁１１１に当接し、且つ、第２の位置Ｐ２から第１の位置Ｐ１へ移動する前に主壁１１１に当接する。つまり、カバーベース１１の主壁１１１は、操作ツマミ６３１の第１の位置Ｐ１と第２の位置Ｐ２との間の移動軌跡Ｔの略中央の位置よりも操作ベース６１に近い位置に配置される。換言すると、カバーベース１１の主壁１１１は、移動軌跡Ｔの内側に配置される。
【００７９】
図１１に示す例では、カバーベース１１の主壁１１１は、操作ツマミ６３１が第１の位置Ｐ１及び第２の位置Ｐ２から略移動しないように配置される。換言すると、主壁１１１の内側面の左右方向の位置が第１の位置Ｐ１及び第２の位置Ｐ２の左右方向の位置と略一致する。この結果、照明器具１のサイズがよりコンパクトになる。
【００８０】
また、カバー部材を備えていない構成の場合、例えば、地震などに起因する建物の揺れにより振動が照明器具に繰り返し加わると、操作ツマミが移動する可能性がある。これに対し、本実施形態では、操作ツマミ６３１の移動がカバー部材１０によって規制されている。このため、カバー部材を備えない構成に比べ、操作ツマミ６３１の移動を防止することができる。この結果、ダクトレール１００（プラグ支持部１０３）とプラグ部７との係合状態を維持することができる。
【００８１】
以上、本発明の実施形態１について説明した。本実施形態によれば、作業員の手が誤って操作ツマミ６３１に触れることを抑制することができる。
【００８２】
また、本実施形態によれば、操作部６がカバー部材１０によって覆われる。この結果、美観が向上する。また、隣接する照明器具１の間に隙間が形成されないようにダクトレール１００に取り付けることができる。この結果、美観が向上する。
【００８３】
また、本実施形態によれば、カバー部材１０は、本体３から取外可能である（完全に分離する）。したがって、作業員は、カバー部材１０を筐体３０から取り外して操作ツマミ６３１を操作することができる。この結果、カバー部材１０が本体３から分離しない構成に比べて、操作ツマミ６３１を容易に操作することができる。
【００８４】
また、本実施形態によれば、係合部１２がカバーベース１１の側壁（第１側壁１１２又は第２側壁１１３）の下端から突起部１３まで連続して形成される。したがって、作業者は、カバー部材１０の取付作業又は取外作業をより安定して行うことができる。この結果、カバー部材１０への本体３の取付作業及び取外作業が容易になる。
【００８５】
なお、本実施形態において、係合部１２がカバーベース１１の側壁（第１側壁１１２又は第２側壁１１３）の下端から突起部１３まで連続して形成される構成を説明したが、係合部１２は、カバーベース１１の側壁の下端から突起部１３まで離散して形成される構成であってもよい。
【００８６】
また、本実施形態において、灯具２がスポットライトである構成について説明したが、灯具２は、例えば、ペンダントライトであってもよい。この場合、ペンダントライトで使用するケーブルは、カバー部材１０と本体３との間の空間に収容され得る。
【００８７】
［実施形態２］
続いて、図１２及び図１３を参照して、本発明の実施形態２に係る照明器具１の構成について説明する。実施形態２では、カバー部材１０が操作空間を備える点が、実施形態１と異なる。以下、実施形態２について実施形態１と異なる事項について説明し、実施形態１と重複する部分についての説明は割愛する。
【００８８】
図１２は、実施形態２に係る照明器具１の構成を示す平面図である。
【００８９】
図１２に示すように、本実施形態に係る照明器具１は、操作空間１４を有する。操作空間１４は、操作レバー６３を第１の位置Ｐ１と第２の位置Ｐ２との間で移動させるための空間である。操作空間１４は、カバー部材１０（カバーベース１１の主壁１１１）と本体３との間に形成される。詳しくは、カバーベース１１の主壁１１１は、第１の位置Ｐ１から第２の位置Ｐ２への操作ツマミ６３１の移動及び第２の位置Ｐ２から第１の位置Ｐ１への操作ツマミ６３１の移動ができるように配置される。つまり、カバーベース１１の主壁１１１は、操作ツマミ６３１の第１の位置Ｐ１と第２の位置Ｐ２との間の移動軌跡Ｔの略中央の位置よりも操作ベース６１から遠い位置に配置される。換言すると、カバーベース１１の主壁１１１は、操作ツマミ６３１の移動軌跡Ｔよりも外側に位置する。これにより、操作ツマミ６３１を第１の位置Ｐ１と第２の位置Ｐ２との間で移動させることができる。
【００９０】
図１３は、実施形態２に係る照明器具１の取付状態を示す図である。本実施形態によれば、図１３に示すように、複数の照明器具１が隙間なくダクトレール１００に配置された場合であっても、作業者は、所望の照明器具１をダクトレール１００から容易に取り外すことができる。詳しくは、一般的な複数の照明器具が隙間なくダクトレールに配置された場合、隣接する照明器具の間に操作ツマミを移動させるための空間を確保することができない。このため、複数の照明器具のうち、操作ツマミ側に他の照明器具が隣接している照明器具を取り外す（操作ツマミを操作する）には、操作ツマミ側に隣接する照明器具を取り外す必要がある。具体的には、一方の端に配置された照明器具から取外対象の照明器具に隣接する照明器具まで、ダクトレールから順次取り外し、取外対象の照明器具の操作ツマミを操作する必要がある。これに対し、本実施形態に係る照明器具１は、操作空間１４を有する。したがって、複数の照明器具１が隙間なくダクトレール１００に配置された場合であっても、取外対象以外の照明器具１をダクトレール１００から取り外すことなく、取外対象の照明器具１をダクトレール１００から取り外すことができる。この結果、照明器具１の取外作業の効率が向上する。
【００９１】
以上、本発明の実施形態について、図面（図１〜図１３）を参照しながら説明した。但し、本発明は、上記の実施形態に限られるものではなく、その要旨を逸脱しない範囲で種々の態様において実施することが可能である。また、上記の実施形態で示す形状等は、一例であって特に限定されるものではなく、本発明の効果から実質的に逸脱しない範囲で種々の変更が可能である。
【００９２】
例えば、本発明の実施形態では、天井面Ｃに設けられる照明器具１を例に説明したが、本発明は、例えば、壁面に設けられる照明器具にも適用され得る。
【符号の説明】
【００９３】
１        照明器具
２        灯具
３        本体
４        ガイド部
５        係止部
６        操作部
６３１    操作ツマミ
７        プラグ部
１０      カバー部材
１１      カバーベース
１３      突起部
１４      操作空間
３０      筐体
３１      後壁
３２ｓ    支持面
３３      前壁
１００    ダクトレール
【図１】
2018181753.tif 000003
【図２】
2018181753.tif 000004
【図３】
2018181753.tif 000005
【図４】
2018181753.tif 000006
【図５】
2018181753.tif 000007
【図６】
2018181753.tif 000008
【図７】
2018181753.tif 000009
【図８】
2018181753.tif 000010
【図９】
2018181753.tif 000011
【図１０】
2018181753.tif 000012
【図１１】
2018181753.tif 000013
【図１２】
2018181753.tif 000014
【図１３】
2018181753.tif 000015